(57)【要約】【課題】  ユーザが処理装置を効率的かつ容易に近距離無線ネットワークに追加することを可能にする装置、システム、コンピュータ可読メディア、及び方法を提供する。【解決手段】  本装置はまた、誤って入力された「ＰＩＮ」を訂正するためのエラー訂正ソフトウエアコンポーネントを記憶する。
2005510946.tif 000002
【特許請求の範囲】
【請求項１】
（ａ）第１の識別記号を有する近距離無線信号メッセージをユーザ入力に応答して生成するための第１の装置と、
（ｂ）前記メッセージを受信し、前記第１の識別記号と内部に記憶した第２の識別記号との比較に応じて前記第１の装置と通信するための第２の装置と、
を含むことを特徴とする、近距離無線ネットワークを形成するためのシステム。
【請求項２】
前記第１の装置は、間違って入力された識別記号を指示するためのエラー検出ソフトウエアコンポーネントを含むことを特徴とする請求項１に記載のシステム。
【請求項３】
前記第１の装置は、間違って入力された識別記号を訂正するためのエラー訂正ソフトウエアコンポーネントを含むことを特徴とする請求項１に記載のシステム。
【請求項４】
（ａ）ペア化メッセージ及び識別記号の受信に応答して近距離無線信号を生成するための第１の装置と、
（ｂ）前記識別記号を包含する近距離無線信号を生成し、前記近距離無線信号に応答して前記第１の装置と通信するための第２の装置と、
を含むことを特徴とする、近距離無線ネットワークを形成するためのシステム。
【請求項５】
前記ペア化メッセージは、インターネットから受信されることを特徴とする請求項４に記載のシステム。
【請求項６】
前記ペア化メッセージは、ショートメッセージサービス（ＳＭＳ）から受信されることを特徴とする請求項４に記載のシステム。
【請求項７】
前記ペア化メッセージは、ワイドエリアネットワーク（ＷＡＮ）から受信されることを特徴とする請求項４に記載のシステム。
【請求項８】
前記ペア化メッセージは、識別記号及び装置名を含むことを特徴とする請求項４に記載のシステム。
【請求項９】
前記ペア化メッセージは、ペア化識別記号を含み、
前記第１の装置は、前記ペア化識別記号を前記第２の装置からの前記識別記号と比較する、
ことを特徴とする請求項４に記載のシステム。
【請求項１０】
前記第１の装置は、第１の装置及び前記第２の装置間の通信を阻止するための削除メッセージを受信することを特徴とする請求項９に記載のシステム。
【請求項１１】
（ａ）ユーザ入力に応答して前記ペア化メッセージを生成するためのワイドエリアネットワーク内の処理装置、
を更に含むことを特徴とする請求項１０に記載のシステム。
【請求項１２】
前記処理装置は、遠隔通信プロバイダの処理装置であることを特徴とする請求項１１に記載のシステム。
【請求項１３】
前記処理装置は、販売業者の処理装置であることを特徴とする請求項１１に記載のシステム。
【請求項１４】
前記処理装置は、前記第２の装置のユーザの処理装置であることを特徴とする請求項１１に記載のシステム。
【請求項１５】
前記ユーザ入力は、ユーザ識別記号、装置名、装置製造業者、及び装置モデルから成るグループから選択されることを特徴とする請求項１１に記載のシステム。
【請求項１６】
前記処理装置は、コンピュータであり、
前記ユーザ入力は、ワイドエリアネットワーク内のウェブサイトに入力された第２の装置の識別記号である、
ことを特徴とする請求項１４に記載のシステム。
【請求項１７】
前記第２の装置は、デスクトップコンピュータ、ラップトップコンピュータ、携帯情報端末、ヘッドセット、ポケットベル、プリンタ、腕時計、デジタルカメラ、及びその均等物から成るグループから選択されることを特徴とする請求項４に記載のシステム。
【請求項１８】
前記第１の装置は、近距離無線プロセッサ及び２．４ＧＨＺトランシーバを含むことを特徴とする請求項４に記載のシステム。
【請求項１９】
前記第１の装置は、近距離無線プロセッサ及び５．７ＧＨＺトランシーバを含むことを特徴とする請求項４に記載のシステム。
【請求項２０】
前記第２の装置は、近距離無線プロセッサ及び２．４ＧＨＺトランシーバを含むことを特徴とする請求項４に記載のシステム。
【請求項２１】
前記第２の装置は、近距離無線プロセッサ及び５．７ＧＨＺトランシーバを含むことを特徴とする請求項４に記載のシステム。
【請求項２２】
前記ペア化メッセージは、暗号化されることを特徴とする請求項４に記載のシステム。
【請求項２３】
前記識別記号は、前記第２の装置によって検証されることを特徴とする請求項８に記載のシステム。
【請求項２４】
前記識別記号は、前記第２の装置によって訂正されることを特徴とする請求項７に記載のシステム。
【請求項２５】
前記ペア化メッセージは、デジタル署名を含むことを特徴とする請求項４に記載のシステム。
【請求項２６】
（ａ）ユーザの識別記号の入力に応答して近距離無線信号を生成するための、ディスプレイを有する第１の装置、
を含み、
ユーザは、前記識別記号のエラーの検出に応じて無効識別記号であることを通知され、
（ｂ）前記近距離無線信号に応答して前記第１の装置と通信するための第２の装置、
を更に含むことを特徴とする、近距離無線ネットワークを形成するためのシステム。
【請求項２７】
前記第１の装置は、前記識別記号を訂正することを特徴とする請求項２６に記載のシステム。
【請求項２８】
前記第１の装置は、チェックサムソフトウエアコンポーネント及びリード・ソロモンソフトウエアコンポーネントを含むことを特徴とする請求項２６に記載のシステム。
【請求項２９】
前記第２の装置は、ヘッドセットであることを特徴とする請求項２６に記載のシステム。
【請求項３０】
前記第２の装置は、腕時計であることを特徴とする請求項２６に記載のシステム。
【請求項３１】
前記第１の装置は、近距離無線プロセッサ及び２．４ＧＨＺトランシーバを含むことを特徴とする請求項２６に記載のシステム。
【請求項３２】
前記第１の装置は、近距離無線プロセッサ及び５．７ＧＨＺトランシーバを含むことを特徴とする請求項２６に記載のシステム。
【請求項３３】
前記第２の装置は、近距離無線プロセッサ及び２．４ＧＨＺトランシーバを含むことを特徴とする請求項２６に記載のシステム。
【請求項３４】
前記第２の装置は、近距離無線プロセッサ及び５．７ＧＨＺトランシーバを含むことを特徴とする請求項２６に記載のシステム。
【請求項３５】
第２の装置を有する近距離無線ネットワークに第１の装置を追加する方法であって、
（ａ）識別記号を前記第１の装置に供給する段階と、
（ｂ）前記識別記号を包含する近距離無線信号を前記第１の装置から前記第２の装置に対して生成する段階と、
（ｃ）前記識別記号に応答して前記第１の装置及び前記第２の装置間の通信チャンネルを形成する段階と、
を含むことを特徴とする方法。
【請求項３６】
（ｄ）ペア化メッセージを前記第２の装置に供給し、該ペア化メッセージに応答して通信チャンネルを形成する段階、
を更に含むことを特徴とする請求項３５に記載の方法。
【請求項３７】
前記ペア化メッセージは、インターネットによって供給されることを特徴とする請求項３６に記載の方法。
【請求項３８】
前記ペア化メッセージは、ウェブページでのユーザ入力に応答して生成されることを特徴とする請求項３６に記載の方法。
【請求項３９】
前記ペア化メッセージは、電話でのユーザ入力に応答して生成されることを特徴とする請求項３６に記載の方法。
【請求項４０】
（ｄ）前記個人識別記号のエラーを検出する段階と、
（ｅ）前記個人識別記号の有効性をユーザに通知する段階と、
を更に含むことを特徴とする請求項３５に記載の方法。
【請求項４１】
（ｄ）前記個人識別記号のエラーを訂正する段階、
を更に含むことを特徴とする請求項３５に記載の方法。
【請求項４２】
（ａ）近距離無線ネットワークにおいて近距離無線信号を生成するための近距離無線ソフトウエアコンポーネントと、
（ｂ）ペア化メッセージに応答して装置を前記近距離無線ネットワークに追加するためのペア化ソフトウエアコンポーネントと、
を有するコンピュータ可読メディアを含むことを特徴とする製品。
【発明の詳細な説明】
【技術分野】
【０００１】
本発明は、一般にネットワークに関する。
【背景技術】
【０００２】
処理装置は、多くの場合、ワイドエリアネットワーク（ＷＡＮ）、ローカルエリアネットワーク（ＬＡＮ）、又は近距離無線ネットワークのようなネットワークに追加される。
携帯電話のような無線通信装置は、一般的に、ＷＡＮ又は通信ネットワークのノードである。携帯電話はまた、ラップトップ、プリンタ、携帯情報端末（ＰＤＡ）、及び／又はヘッドセットのような他のユーザの装置と通信するためのＬＡＮ又は近距離無線ネットワークの一部とすることができる。例えば、「Ｂｌｕｅｔｏｏｔｈ（登録商標）」技術（ｗｗｗ．Ｂｌｕｅｔｏｏｔｈ．ｃｏｍ）は、装置間の無線通信を提供する。
【０００３】
一般に、ユーザは、処理装置を「Ｂｌｕｅｔｏｏｔｈ（登録商標）」近距離無線ネットワークに手作業で追加するか又はペア化する。「Ｂｌｕｅｔｏｏｔｈ（登録商標）」近距離無線ネットワークに処理装置を追加する方法はいくつかある。ユーザは、近くの他の「Ｂｌｕｅｔｏｏｔｈ（登録商標）」装置を探し出すために、例えば「Ｂｌｕｅｔｏｏｔｈ（登録商標）」機能を有する携帯電話において「発見」モードを選択することができる。携帯電話は、次にその携帯電話とペア化される他の可能な「Ｂｌｕｅｔｏｏｔｈ（登録商標）」装置を探し始める。多くの場合、見つかった装置は、次にリストの形でユーザに提供され、ユーザは、次にその携帯電話とペア化されるラップトップコンピュータのような望ましい装置を選択することができる。次に、携帯電話のディスプレイ上で、ユーザにセキュリティコード、個人識別コード（ＰＩＮ）、又はパスキーのプロンプトが出されることがある。ユーザは、次に適切な「ＰＩＮ」を入力することができる。同様に、探し出された装置は、入力することができる「ＰＩＮ」のプロンプトをユーザに出す。その後、「Ｂｌｕｅｔｏｏｔｈ（登録商標）」技術は、処理装置間の通信チャンネルを確立する。
【０００４】
近距離無線ネットワーク及び特に「Ｂｌｕｅｔｏｏｔｈ（登録商標）」近距離無線ネットワークに対して処理装置をペア化又は追加することには、多くの欠点がある。
第１に、ユーザの相当の介入と注意が要求される。ユーザは、どの装置がペア化されるかを近距離無線ネットワーク内で「発見」して選択する必要がある。ユーザは、恐らくは２つの異なる装置で「ＰＩＮ」コードを取得して入力する必要がある。
第２に、製造業者、再販業者、又は遠隔通信プロバイダのような第三者は、一般的にペア化を制御又は使用可能にしない。例えば、遠隔通信プロバイダは、近距離無線ネットワークにおける任意の要求されたペア化を承認又は認可することを望む場合がある。同様に、遠隔通信プロバイダは、ペア化された装置を近距離無線ネットワークから削除したい場合がある。
第３に、ユーザは、間違った「ＰＩＮ」コードを入力したのか、又は「Ｂｌｕｅｔｏｏｔｈ（登録商標）」通信チャンネルにエラーが生じたのかを知らないことが多い。ユーザは、正しい「ＰＩＮ」を再入力するよりも「Ｂｌｕｅｔｏｏｔｈ（登録商標）」への接続を得ようとして時間を浪費する場合がある。
【発明の開示】
【発明が解決しようとする課題】
【０００５】
従って、ユーザが処理装置を効率的かつ容易に近距離無線ネットワークに追加することを可能にする装置、システム、コンピュータ可読メディア、及び方法を提供することが望ましい。更に、（１）製造業者、再販業者、又は遠隔通信プロバイダのような第三者が、処理装置の近距離無線ネットワークへの追加／削除又は追加の認可をすること、及び（２）ユーザが、「ＰＩＮ」コードが適正に入力されたか否かを知ることが望ましい。
【課題を解決するための手段】
【０００６】
ユーザが処理装置を効率的かつ容易に近距離無線ネットワークに追加／削除又はペア化することを可能にする装置、システム、コンピュータ可読メディア、及び方法は、本発明の実施形態によって提供される。ユーザは、「ＰＩＮ」を装置に入力する。本発明の実施形態では、装置は、次に、ユーザの更なる何の介入もなく別の装置と自動的にペア化されて近距離無線ネットワークを形成する。本発明の代替実施形態では、製造業者、再販業者、又は遠隔通信プロバイダのような第三者は、インターネット、ワイドエリアネットワーク、又はショートメッセージサービス（ＳＭＳ）上でペア化メッセージを提供することにより、処理装置を近距離無線ネットワークに追加する。本発明の別の実施形態では、ユーザは、「ＰＩＮ」コードのエラーを検出して「ＰＩＮ」コードが無効の場合に警告を表示する装置により、「ＰＩＮ」コードが間違って入力された時にそれを知ることができる。本発明の更に別の実施形態においては、装置は、誤って入力された「ＰＩＮ」を訂正する。
【０００７】
本発明の実施形態によれば、近距離無線ネットワークを形成するためのシステムが提供される。第１の装置は、ペア化メッセージ及び識別記号の受信に応答して近距離無線信号を生成する。第２の装置は、この識別記号を包含する近距離無線信号を生成し、近距離無線信号に応答して第１の装置と通信する。
本発明の実施形態によれば、ペア化メッセージは、インターネットから受信される。
本発明の実施形態によれば、ペア化メッセージは、ＩＰネットワークから受信される。
本発明の実施形態によれば、ペア化メッセージは、ショートメッセージサービス（ＳＭＳ）から受信される。
【０００８】
本発明の実施形態によれば、ペア化メッセージは、個人識別番号（ＰＩＮ）のような識別記号、装置名、メディア・アクセス・コントロール（ＭＡＣ）アドレスのような装置識別記号、装置製造業者、及び装置モデルを含む。本発明の実施形態によれば、ペア化メッセージは、ペア化識別記号を含み、第１の装置は、このペア化識別記号を第２の装置からの識別記号と比較する。
本発明の実施形態によれば、第１の装置は、第１の装置及び第２の装置間の通信を阻止又は許可するための削除又は確認メッセージを受信する。
【０００９】
本発明の更に別の実施形態によれば、システムは、ワイドエリアネットワーク内にユーザ入力に応答してペア化メッセージを生成するための処理装置を更に含む。
本発明の実施形態によれば、処理装置は、遠隔通信プロバイダの処理装置、再販業者の処理装置、又は製造業者の処理装置である。
本発明の実施形態によれば、ユーザ入力は、ユーザ識別記号、装置名、装置製造業者、及び装置モデルから成るグループから選択される。
【００１０】
本発明の実施形態によれば、処理装置はコンピュータであり、ユーザは、識別記号をワイドエリアネットワーク内のウェブページに入力する。
本発明の実施形態によれば、処理装置は、対話式音声認識（ＩＶＲ）ソフトウエアコンポーネントを有するコンピュータであり、ユーザは、コンピュータに接続された電話に識別記号を発話する。
本発明の実施形態によれば、処理装置はコンピュータであり、ユーザは、コンピュータに接続された公衆電話回線によりデュアルトーン複数周波数（ＤＴＭＦ）信号を使用して電話に識別記号を入力する。
【００１１】
本発明の実施形態によれば、第２の装置は、デスクトップコンピュータ、ラップトップコンピュータ、携帯情報端末、ヘッドセット、ポケットベル、プリンタ、腕時計、デジタルカメラ、及びその均等物から成るグループから選択される。
本発明の実施形態によれば、第１の装置は、近距離無線プロセッサ及び２．４ＧＨＺトランシーバを含む。
本発明の実施形態によれば、第１の装置は、近距離無線プロセッサ及び５．７ＧＨＺトランシーバを含む。
本発明の実施形態によれば、ペア化メッセージは暗号化される。
本発明の実施形態によれば、ペア化メッセージは、認証用のデジタル署名を含む。
本発明の実施形態によれば、第１の装置は、識別記号を検証する。
【００１２】
本発明の実施形態によれば、近距離無線ネットワークを形成するためのシステムが提供される。システムは、識別記号を入力するにユーザに応答して近距離無線信号を生成する、ディスプレイを有する第１の装置を含む。ユーザは、識別記号のエラーの検出に応じて識別記号が無効であることを通知される。第２の装置は、近距離無線信号に応答して第１の装置と通信する。
本発明の実施形態によれば、ペア化メッセージは、電話又はウェブサイトでのユーザの入力に応答して生成される。
本発明の実施形態によれば、ペア化メッセージは、個人識別記号を含み、本方法は、個人識別記号を検証する段階、及びユーザに個人識別記号の有効性を通知する段階を更に含む。
【００１３】
本発明の実施形態によれば、第２の装置を有する近距離無線ネットワークに第１の装置を追加する方法が提供される。ペア化メッセージは、第２の装置に供給される。第１の装置に識別記号が供給され、この識別記号を包含する近距離無線信号が、第１の装置から第２の装置に向けて生成される。第１の装置及び第２の装置間の通信チャンネルは、ペア化メッセージ及び識別記号に応答して形成される。
【００１４】
本発明の実施形態によれば、コンピュータ可読メディアを含む製品が提供される。近距離無線ソフトウエアコンポーネントは、近距離無線ネットワーク内で近距離無線信号を生成する。ペア化ソフトウエアコンポーネントは、ペア化メッセージに応答して近距離無線ネットワークに装置を追加する。
本発明の他の態様及び利点は、添付図面、詳細説明、及び特許請求の範囲を検討することによって理解することができる。
【発明を実施するための最良の形態】
【００１５】
Ｉ．システムの概要
以下の説明及び特許請求の範囲は、本発明の実施形態により近距離無線ネットワークに対して装置をペア化又は追加するための装置、システム、方法、及びコンピュータ可読メディアに関する。ペア化とは、装置を近距離無線ネットワーク内の別の装置と通信させることを意味する。
本発明の実施形態では、近距離無線ネットワークとは、パーソナルコンピュータ又はヘッドセットのような物理的に比較的狭い区域に及ぶ処理装置のネットワークであり、少なくとも１つの装置が、ネットワーク内の別の装置と通信するための近距離無線信号を生成又は受信する。本発明の実施形態では、近距離無線信号は、約０及び約１０００フィート間を移動することができる。近距離無線ネットワークの例には、「Ｂｌｕｅｔｏｏｔｈ（登録商標）」、「ＨｏｍｅＲＦ」、及び「８０２．１１」技術を単独又は組み合わせて形成された装置のネットワーク、又はその均等物が含まれる。本発明の実施形態では、近距離無線ネットワーク内の各処理装置は、処理装置メモリに保存されたソフトウエアコンポーネントを実行する独自の処理ユニットを有するばかりでなく、近距離無線ネットワーク上のデータ及び装置にもアクセス可能である。本発明の実施形態では、有線特にイーサネット（登録商標）は、近距離無線ネットワーク内で２つ又はそれ以上の処理装置間の通信を提供する。代替実施形態では、電磁信号が、近距離無線ネットワーク内の１つ又はそれ以上の処理装置間の無線通信を提供する。更に別の実施形態では、有線及び電磁信号の両方が、近距離無線ネットワーク内の処理装置間の通信を提供する。
【００１６】
本発明の実施形態では、ＷＡＮは、比較的長距離に亘って接続された複数のＬＡＮ及び／又は近距離無線ネットワーク含む。電話線及び電磁信号は、単独又は組み合わせて、ＬＡＮ及び／又は近距離無線ネットワークをＷＡＮに接続する。本発明の実施形態では、ＷＡＮ１０５は、セル信号１１１を生成及び受信するセルラーネットワークを含む。本発明の実施形態では、セルラーネットワークは、地理的領域をセルと呼ばれる部分に分割する通信システムとして定義される。本発明の類似の実施形態では、この分割の目的は、限られた数の伝送周波数を最大限に利用するためである。本発明の類似の実施形態では、各接続又は例えば会話は、その専用の周波数を要求し、利用可能な周波数の総数は約１，０００である。１，０００よりも多い会話を同時にサポートするために、セルラーシステムは、各セルに設定された数の周波数を割り当てる。セルが互いに隣接していない限り、２つのセルは、別の会話に対して同じ周波数を使用することができる。
【００１７】
図１は、本発明の実施形態によるシステム１００を示す。システム１００は、無線装置１０６に接続された端末１０７を含む。本発明の実施形態では、装置１０６及び１つ又はそれ以上の端末１０７が通信し、近距離無線ネットワーク１１６を形成する。本発明の実施形態では、端末１０７は、近距離無線信号１１０によって装置１０６に接続され、近距離無線ネットワーク１１６を形成する。本発明の実施形態では、端末１０７の一部又は全部は、有線接続を有することができる。本発明の実施形態では、端末１０７は、腕時計１０７ａ、「ＰＤＡ」１０７ｂ、ヘッドセット１０７ｃ、及びラップトップコンピュータ１０７ｄを含む。代替実施形態では、これよりも少ないか又は多い端末が、近距離無線ネットワーク１１６で使用される。代替実施形態では、端末１０７は、デスクトップコンピュータ、ポケットベル、プリンタ、薄型端末、メッセージ端末、デジタルカメラ、又はその均等物を含む。本発明の実施形態では、端末１０７は、「Ｂｌｕｅｔｏｏｔｈ（登録商標）」２．４ＧＨＺトランシーバを含む。同じく装置１０６は、「Ｂｌｕｅｔｏｏｔｈ（登録商標）」２．４ＧＨＺトランシーバを含む。本発明の代替実施形態では、「Ｂｌｕｅｔｏｏｔｈ（登録商標）」５．７ＧＨＺトランシーバが使用される。装置１０６及び端末１０７に対するハードウエアは、図３ａ−ｂの本発明の実施形態に示されている。
本発明の代替実施形態では、装置１０６及び端末１０７間で通信するために、「８０２．１１」又は「ＨｏｍｅＲＦ」信号のような他のローカル無線技術が使用される。
【００１８】
本発明の実施形態では、ＷＡＮ１０５は、装置１０６に接続される。本発明の実施形態では、ＷＡＮ１０５は、セルラー信号１１１を送信及び受信するセルラーネットワークを含む。本発明の実施形態では、セルラー信号１１１は、グローバル・システム・フォー・モバイル・コミュニケーションズ（ＧＳＭ）プロトコルのようなプロトコルを使用して送信される。代替実施形態では、符号分割多重アクセス方式（ＣＤＭＡ）、ＣＤＭＡ２０００、ユニバーサル・モバイル・テレコミュニケーション・システム（ＵＭＴＳ）、時分割多重アクセス（ＴＤＭＡ）、又は汎用パケット無線システム（ＧＰＲＳ）プロトコル又はその均等物が使用される。
【００１９】
本発明の実施形態では、ＷＡＮ１０５は、キャリアバックボーン１０４、サーバ１０１〜１０２、及びインターネット１０３を含む。本発明の実施形態では、図１に示す構成要素間でＩＰパケットが転送される。本発明の代替実施形態では、図１に示す構成要素間で他の種類のパケットが転送される。
本発明の実施形態では、ＷＡＮ１０５は、仮想プライベートネットワーク（ＶＰＮ）を使用した企業機密保護ネットワークのようなＩＰパブリック又はプライベートネットワークを含む。
【００２０】
本発明の代替実施形態では、装置１０６は、イーサネット（登録商標）、デジタル加入者回線（ＤＳＬ）、又はケーブルモデム接続を単独で又は組み合わせてＷＡＮ１０５に接続される。
本発明の実施形態では、装置１０６は、セルラー受話器又は電話である。本発明の代替実施形態では、装置１０６は、セルラー使用可能「ＰＤＡ」、無線モデム、及び／又は無線ラップトップコンピュータである。
【００２１】
本発明の実施形態では、ＷＡＮ１０５は、無線キャリア内部ネットワーク又はキャリアバックボーン１０４に接続される。本発明の実施形態では、サーバ１０２は、キャリアバックボーン１０４に接続される。本発明の代替実施形態では、キャリアバックボーン１０４は、インターネット１０３に接続される。サーバ１０１は、インターネット１０３に接続される。本発明の実施形態では、サーバ１０１及び１０２は、ウェブページやアプリケーションソフトウエアコンポーネントを有するウェブサイトのような情報を、装置１０６を使用して端末１０７に提供する。本発明の実施形態では、端末１０７は、サービスを共有し、装置１０６を使用して通信する。
【００２２】
本発明の実施形態では、サーバ１０１は、図８に示すように、ペア化メッセージ生成ソフトウエアコンポーネント１０１ａ、「ＰＩＮ」データベース１０１ｂ、及び対話式音声認識（ＩＶＲ）ソフトウエアコンポーネント１０１ｃを含む。メッセージ生成ソフトウエアコンポーネント１０１ａは、以下に本発明の実施形態で説明するように、ペア化及び／又はペア化削除メッセージを装置１０６に対して生成する。「ＩＶＲ」１０１ｃは、メッセージ生成ソフトウエアコンポーネント１０１ａのために、人間の発話をコンピュータ可読情報に変換するために使用される。例えば、音声で又は「ＤＴＭＦ」を通じて「ＰＩＮ」を提供するために、ユーザは、電話を使用してサーバ１０１にアクセスすることができる。「ＩＶＲ」  １０１ｃは、次にペア化メッセージを生成するために、「ＰＩＮ」発話又は「ＤＴＭＦ」トーンをコンピュータ可読フォーマットに変換するであろう。本発明の実施形態では、以下に説明するように、ペア化を確認又は認可するために「ＰＩＮ」データベース１０１ｂが使用される。
同様に、キャリアバックボーン１０４に接続されたサーバ１０２は、類似のソフトウエアコンポーネントを有し、本発明の代替実施形態ではインターネット１０３をバイパスする。
【００２３】
本発明の実施形態では、最近取得された端末１０７に付随する個人識別番号（ＰＩＮ）を入力するために、図７に示すようなウェブページ７００は、サーバ１０１に配置される。近距離無線ネットワーク１１６内の端末のユーザ、製造業者、再販業者、又は通信プロバイダは、端末を近距離無線ネットワーク１１６に追加するために、端末に付随する「ＰＩＮ」番号を入力することができる。「ＰＩＮ」と装置識別番号のような潜在的な他の識別情報がウェブページ７００で入力された後に、サーバ１０１は、ＷＡＮ１０５上で装置１０６に転送されるペア化メッセージを生成する。本発明の実施形態では、ペア化メッセージは、インターネット／プロトコル（ＩＰ）メッセージである。また、本発明の実施形態では、ペア化メッセージは、「ＳＭＳ」メッセージである。また、本発明の実施形態では、ペア化メッセージは、無線ネットワークの制御チャンネルのようなＷＡＮを通じて送られるメッセージである。本発明の代替実施形態では、不正又は違法ペア化を防ぐために、ペア化メッセージは暗号化される。図４に示すように、復号化ソフトウエアコンポーネント４０５は、次に、ペア化メッセージを復号化する。代替実施形態では、復号化ソフトウエアコンポーネント４０５は、ペア化メッセージのデジタル署名を検証することにより、ペア化メッセージを認証する。ペア化メッセージの「ＰＩＮ」は、次に装置１０６のメモリに保存される。代替実施形態では、ペア化メッセージの他の情報が装置１０６のメモリに保存される。本発明の実施形態では、端末１０７の１つの端末は、定期的にペア化を要求するか、又は、装置１０６に対して「ＰＩＮ」を含む「Ｂｌｕｅｔｏｏｔｈ（登録商標）」メッセージを生成することにより、ユーザ要求の後にペア化を要求する。装置１０６は、次に、ペア化メッセージ内で取得された保存「ＰＩＮ」と、近距離無線ネットワーク１１６内の端末からの「Ｂｌｕｅｔｏｏｔｈ（登録商標）」から取得された「ＰＩＮ」とを比較する。本発明の実施形態では、２つの「ＰＩＮ」が符合する場合、装置１０６と「ＰＩＮ」を有する「Ｂｌｕｅｔｏｏｔｈ（登録商標）」メッセージを生成する端末との間で「Ｂｌｕｅｔｏｏｔｈ（登録商標）」通信チャンネルが確立される。本発明の実施形態では、端末１０７の１つの端末が要求時に装置１０６に対して利用可能でない場合は、装置１０６は、入力される新しい「ＰＩＮ」番号を要求せずに、端末１０７の１つの端末がペア化を要求するのに利用可能になるまで待機する。
【００２４】
本発明の代替実施形態では、サーバ１０１は、１０６に対してペア化メッセージをプッシュしない。装置１０６が端末１０７の１つ端末からペア化の要求を受信した状態で、装置１０６は、ペア化を確認するためにサーバ１０１にメッセージを送る。サーバ１０１は、「ＰＩＮ」を有する要求している端末が「ＰＩＮ」データベース内の「ＰＩＮ」に符合するか否かを判断するために、「ＰＩＮ」データベース１０１ｂを検索する。符合することが判明すると、サーバ１０１は、装置１０６に対してペア化を承認するペア化メッセージを生成する。次に、装置１０６と要求している端末との間の通信チャンネルが確立される。端末１０７の１つの端末によって送られた「ＰＩＮ」がサーバ１０１データベース内の「ＰＩＮ」と符合しない場合、サーバ１０１は、装置１０６に対してペア化が拒否されたというペア化メッセージを生成し、装置１０６と要求している端末との間に通信は発生しない。
更に別の実施形態では、サーバ１０１は、装置１０６に対して削除又はペア化解除メッセージを送る。削除メッセージに応答して、装置１０６は、削除メッセージで特定された端末との通信チャンネルを中止する。
【００２５】
本発明の更に別の実施形態では、ユーザは、装置１０６に割り当てられた「ＰＩＮ」に対応する「ＰＩＮ」を端末１０７の１つの端末に入力する。次に、この端末は、ペア化を要求する装置１０６に対して、装置１０６の「ＰＩＮ」を含む「Ｂｌｕｅｔｏｏｔｈ（登録商標）」メッセージを生成する。次に、装置１０６は、「Ｂｌｕｅｔｏｏｔｈ（登録商標）」メッセージの「ＰＩＮ」をメモリに保存された内部「ＰＩＮ」と比較する。両方の「ＰＩＮ」が符合すると、装置１０６及び端末間に通信チャンネルが形成され、符合しない場合は、装置１０６に対するペア化及び通信が拒否される。この実施形態では、ユーザは、単に「ＰＩＮ」を入力し、ペア化は、端末が装置１０６の無線の範囲を入力すると自動的に行われる。端末は、「ＰＩＮ」を含む「Ｂｌｕｅｔｏｏｔｈ（登録商標）」メッセージでペア化の要求を定期的に生成する。すなわち、ユーザは、近距離無線ネットワークを形成するために「発見」を使用してモードを選択する必要がない。
【００２６】
本発明の更に別の実施形態では、近距離無線ネットワーク１１６内の端末は、ユーザが有効「ＰＩＮ」を入力したか否かの検証を担うエラー検出ソフトウエアコンポーネント４０６を含む。ユーザが有効「ＰＩＮ」を入力しない場合、エラー検出ソフトウエアコンポーネント４０６は、ユーザに対して無効入力「ＰＩＮ」を表示する。例えば、端末は、図５ｃに示すようにディスプレイ上に「ＰＩＮが正しくない」と表示することができる。代替実施形態では、以下に説明するように、エラー検出ソフトウエアコンポーネント４０６は、誤って入力された「ＰＩＮ」を訂正するためのエラー訂正ソフトウエアコンポーネントを含む。
【００２７】
例えば、ユーザは、小売店で「Ｂｌｕｅｔｏｏｔｈ（登録商標）」機能が付いた「ＰＤＡ」１０７ｂを購入し、「ＰＤＡ」１０７ｂを近距離無線ネットワーク１１６に追加したいであろう。また、セールスマンは、サーバ１０１に配置されたウェブページ７００にアクセスするであろう。本発明の実施形態では、ウェブページ７００は、携帯電話１０６にセルラー信号を供給している遠隔通信オペレータに所有されて運営されている。セールスマンは、「ＰＤＡ」１０７ｂの名前（装置識別番号）、「ＰＤＡ」１０７ｂの製造業者（措置製造業者）、「ＰＤＡ」１０７ｂのモデル又は機能（装置モデル）、及び、「ＰＩＮ」又は個人識別記号を入力するであろう。本発明の好ましい実施形態では、「ＰＩＮ」と装置識別番号だけが入力される。本発明の実施形態では、遠隔通信プロバイダは、近距離無線ネットワーク１１６を形成するための「ＰＩＮ」を既にユーザに与えている。次に、サーバ１０１は、セールスマンの入力に応答して、暗号化されたペア化メッセージを生成する。このペア化メッセージは、電話１０６及び要求端末のペア化を可能にするために、「Ｂｌｕｅｔｏｏｔｈ（登録商標）」機能を有する携帯電話１０６にＷＡＮ１０５上で転送される。本発明の代替実施形態では、ユーザ、製造業者、遠隔通信プロバイダ、又は再販業者は、キーパッド入力又は音声により電話を使用して、「ＰＤＡ」１０７ｂ情報をペア化メッセージを生成するサーバ１０１に転送する。
本発明の更に別の実施形態では、ユーザ、製造業者、遠隔通信プロバイダ、又は再販業者は、ペア化メッセージを生成するために「ＳＭＳ」を使用する。
【００２８】
本発明の好ましい実施形態では、「ＰＤＡ」１０７ｂのような端末の購入時に、遠隔通信プロバイダ又は再販業者は、「ＰＩＮ」を端末に手作業で入力する。エラー検出ソフトウエア４０６は、入力された「ＰＩＮ」の有効性を検証し、問題のないペア化をユーザ又は再販業者に通知する。仮に新しい「ＰＤＡ」１０７ｂがユーザの近距離無線ネットワークの範囲内になくても、ユーザ及び再販業者は、実際のペア化に関して心配する必要はない。「ＰＤＡ」１０７ｂがユーザの近距離無線ネットワーク１１６の範囲内に入った状態で、ペア化は、典型的な「Ｂｌｕｅｔｏｏｔｈ（登録商標）」プロトコルを使用して達成されることになる。また、「ＰＤＡ」１０７ｂが近距離無線ネットワーク１１６の範囲内に入った状態で、「ＰＤＡ」１０７ｂは、装置識別及び装置製造業者などのような情報を装置１０６を通じてサーバ１０１に提供し、それによってサーバ１０１は、装置１０６に対する「ＰＩＮ」データベース１０１ｂ内の情報の照会と比較に基づいて、確認又は拒否のペア化メッセージを生成することができる。
【００２９】
すなわち、第３者に装置をペア化又は追加させることにより、ユーザは、ほとんど又は全く介入することなく、近距離無線ネットワークに装置を容易かつ効率的に追加することができる。更に、遠隔通信プロバイダは、その遠隔通信ネットワークへのアクセスを有する装置に対するより多くの情報及び制御を有する。製造業者も、その装置が使用される方法に関してより多くの情報を有することができる。これは、製造業者が消費者の好みをより効果的に充足させる装置を設計して生産することを可能にすることになる。
【００３０】
ＩＩ．携帯用装置／端末ハードウエア
図２は、端末１０７及び装置１０６の実施形態を示す。本発明の実施形態では、（１）スマート端末、及び（２）薄型端末の２種類の端末がある。本発明の代替実施形態では、スマート端末は、ユーザ論理及びアプリケーションを実行する。スマート端末は、比較的強力な処理ユニット、オペレーティングシステム、及びアプリケーションを有する。近距離無線ネットワーク１１６からのそれらの主な必要性は、ＴＣＰ／ＩＰを通じてのＷＡＮ１０５へのアクセス、及び、保存及び実行のような他のネットワークサービスである。例えば、ラップトップコンピュータ１０７ｄ及び「ＰＤＡ」１０７ｂは、スマート端末である。薄型端末の処理ユニット及びオペレーティングシステムは、比較的パワーが低い。それらは、主に近距離無線ネットワーク１１６内でアプリケーションサーバに対する周辺装置として使用され、その主なタスクは、ユーザとの対話、ユーザのための出力のレンダリング、及びアプリケーションサーバへのユーザ入力の提供である。例えば、腕時計１０７ａ又はメッセージング端末は、薄型端末とすることができる。
【００３１】
図２は、薄型端末を示す。音声端末２０４は、ディスプレイ２０４ｂ及び格納式キーパッド２０４ａを含む。メッセージング端末２０３は、端末２０３を開閉するために使用されるヒンジ２０３ａで閉じられた位置で示されている。端末２０３はまた、開いた時の小型「ＱＷＥＲＴＹ」キーボード及びディスプレイを含む。
本発明の実施形態では、装置２０１は、セルラーモデムであり、ベルト用のクリップ２０２を含む。
【００３２】
図３ａは、本発明の実施形態における装置１０６のハードウエアのブロック図である。装置１０６は、内蔵型及び取外し可能の両方のメモリを含む。特に、装置１０６は、内蔵型「ＦＬＡＳＨ」（すなわち、電気的消去可能プログラマブルＲＯＭ（ＥＥＰＲＯＭ））及びスタティックランダムアクセスメモリ（ＳＲＡＭ）３０２及び３０３をそれぞれ含む。取外し可能「ＦＬＡＳＨ」メモリ３０４も本発明の実施形態に使用される。メモリ３０２、３０３、及び３０４は、バス３０５に接続される。本発明の実施形態では、バス３０５は、アドレス及びデータバスである。アプリケーションプロセッサ３０１も同様にバス３０５に接続される。本発明の実施形態では、プロセッサ３０１は、３２ビットのプロセッサである。
【００３３】
「Ｂｌｕｅｔｏｏｔｈ（登録商標）」プロセッサ３０７もバス３０５に接続される。「Ｂｌｕｅｔｏｏｔｈ（登録商標）」ＲＦ回路３０９は、「Ｂｌｕｅｔｏｏｔｈ（登録商標）」プロセッサ３０７及びアンテナ３１３に接続される。プロセッサ３０７、ＲＦ回路３０９、及びアンテナ３１３は、図１に示す端末１０７又は図３ｂに示す装置３５０との間で近距離無線信号を送受信する。
「ＧＳＭ」のようなセルラー信号は、デジタル回路３０６、アナログ回路３０８、送信機３１０、受信機３１１、及びアンテナ３１２を使用して送受信される。デジタル回路３０６は、バス３０５に接続される。代替実施形態では、装置１０６は、ディスプレイ、スピーカ、マイクロフォン、キーパッド、及びタッチスクリーンを単独又は組合せで含む。
【００３４】
図３ｂは、本発明の実施形態における携帯用装置である装置３５０を示す。装置３５０は、本発明の実施形態では、図１に示す端末１０７の１つである。装置１０６と同様に、装置３５０は、「ＳＲＡＭ」及び「ＦＬＡＳＨ」メモリ３５１及び３５２をそれぞれ含む。メモリ３５１及び３５２は、バス３５７に接続される。本発明の実施形態では、バス３５７は、アドレス及びデータバスである。キーパッド３５３もバス３５７に接続される。近距離無線信号は、「Ｂｌｕｅｔｏｏｔｈ（登録商標）」プロセッサ３５４及び「Ｂｌｕｅｔｏｏｔｈ（登録商標）」ＲＦ回路３５５を使用して送受信される。アンテナ３５６は、「Ｂｌｕｅｔｏｏｔｈ（登録商標）」ＲＦ回路３５５に接続される。本発明の実施形態では、アンテナ３５６は、近距離無線信号を送受信する。代替実施形態では、装置３５０は、ディスプレイ、スピーカ、マイクロフォン、キーパッド、及びタッチスクリーンを単独又は組合せで含む。当業者が認めるように、本発明の代替実施形態では、装置３５０に対して他のハードウエアコンポーネントが準備されるであろう。例えば、装置３５０がラップトップコンピュータ１０７ｄである実施形態では、ディスクドライブ及び他の入力／出力構成要素が存在する。
【００３５】
ＩＩＩ．ソフトウエア
図４は、本発明の実施形態による図３ａに示す装置１０６用のソフトウエアアーキテクチャ５００を示す。ソフトウエア５００は、「ＦＬＡＳＨ」メモリ３０２のようなプログラムメモリに保存される。本発明の実施形態では、図４に参照されたソフトウエアコンポーネントは、ソフトウエアプログラム、ソフトウエアオブジェクト、ソフトウエア関数、ソフトウエアサブルーチン、ソフトウエア方法、ソフトウエアインスタンス、及びコードフラグメントを単独又は組合せで表すものである。代替実施形態では、図４に示すソフトウエアコンポーネントによって行われる機能は、完全に又は部分的にハードウエアによって実行される。
【００３６】
本発明の実施形態では、ソフトウエア５００又はソフトウエア５００のコンポーネントは、コンピュータ可読メディアのような製品に保存される。例えば、ソフトウエア５００は、磁気ハードディスク、光ディスク、フロッピー（登録商標）ディスク、ＣＤ−ＲＯＭ（コンパクトディスクＲＯＭ）、ＲＡＭ（ランダムアクセスメモリ）、「ＦＬＡＳＨ」、ＲＯＭ（読取専用メモリ）、又は、他の可読又は書込可能データ記憶技術によって単独又は組合せで保存される。更に別の実施形態では、ソフトウエア５００又はそのコンポーネントは、図１に示すサーバ１０２からダウンロードされる。
【００３７】
ソフトウエア５００は、遠隔通信ソフトウエア又は物理層プロトコルスタック、特に、セルラー通信ソフトウエア５０３及び近距離無線通信ソフトウエア５０２を含む。一実施形態では、通信ソフトウエア５０３は、セルラー信号を送受信するためにプロセッサ３０６と共に使用される「ＧＰＲＳ」ベースバンドソフトウエアコンポーネントである。一実施形態では、通信ソフトウエア５０２は、近距離無線信号を送受信するためにプロセッサ３０７と共に使用される「Ｂｌｕｅｔｏｏｔｈ（登録商標）」ベースバンドソフトウエアコンポーネントである。他のベースバンド５０１によって示すように、他の遠隔通信ソフトウエアを使用してもよい。
【００３８】
本発明の実施形態では、遠隔通信ソフトウエア５０２及び５０３と通信するために、オペレーティングシステム（ＯＳ）４０３が使用される。本発明の実施形態では、オペレーティングシステム４０３は、「Ｌｉｎｕｘ」オペレーティングシステム、連合王国ロンドン所在のシンビアン・ソフトウエアから入手可能な「ＥＰＯＣ」オペレーティングシステム、米国ワシントン州レドモンド所在のマイクロソフト（登録商標）コーポレーションから入手可能な「ＰｏｃｋｅｔＰＣ」又は「Ｓｔｉｎｇｅｒ」オペレーティングシステム、又は、米国アラバマ州モービル所在のアクセレレーテッド・テクノロジー・インコーポレーテッドから入手可能な「Ｎｕｃｌｅｕｓ」オペレーティングシステムである。オペレーティングシステム４０３は、ハードウエアを管理し、デバイスソフトウエアコンポーネントに対して実行スペースを使用可能にする。
【００３９】
メディア抽象化層５０４は、オペレーティングシステム４０３がベースバンド５０３、５０２、及び５０１とそれぞれ通信することを可能にする。本明細書で説明するメディア抽象化層５０４及び他の抽象化層は、「ＧＰＲＳ」のような特定の通信プロトコルを、装置及び／又は端末によって使用される標準的な指令セットに変換する。抽象化層の目的は、物理的スタックをデバイスソフトウエアコンポーネントの残りから分離することである。これは、上層ソフトウエアを何も変えることなく異なる物理的スタックの将来の利用を可能にし、デバイスソフトウエアを任意の通信プロトコルで作動させる。
【００４０】
ペア化ソフトウエアコンポーネント４０４、復号化ソフトウエアコンポーネント４０５、及びエラー検出ソフトウエア４０６は、本発明の実施形態により端末及び／又は装置を近距離無線ネットワークに追加するために使用される。本発明の代替実施形態では、ソフトウエアコンポーネント４０４、４０５、及び４０６は結合され、及び／又は、より多くのソフトウエアコンポーネントに分割される。
本発明の実施形態では、ペア化ソフトウエアコンポーネント４０４は、ペア化メッセージに応答して、端末又は装置を近距離無線ネットワーク１１６に対してペア化するか又は追加する。本発明の実施形態では、ペア化ソフトウエアコンポーネント４０４及び復号化ソフトウエアコンポーネント４０５は、近距離無線ネットワーク１１６に新しく追加された端末との通信チャンネルを確立するための近距離無線信号を生成及び受信するために、装置１０６のハードウエアコンポーネント上で実行される。本発明の実施形態では、ペア化ソフトウエアコンポーネント４０４、復号化ソフトウエアコンポーネント４０５、オペレーティングシステム４０３、及び「Ｂｌｕｅｔｏｏｔｈ（登録商標）」ベースバンドソフトウエアコンポーネント５０２を使用して、通信チャンネルを確立するための近距離無線信号１１０を生成して受信する。
【００４１】
エラー検出ソフトウエアコンポーネント４０６は、識別記号又は「ＰＩＮ」が有効か否かを判断し、それをユーザに通知するために使用される。本発明の実施形態では、エラー検出ソフトウエアコンポーネント４０６は、装置１０６とペア化しようとしているヘッドセット１０７ｃのような端末１０７の１つの端末に保存される。本発明の実施形態では、全ての「ＰＩＮ」番号は、合計すると所定の番号又はチェックサム数字になる個々の数字を有することが要求される。従って、ユーザが間違えて「ＰＩＮ」番号を入力すると、エラー検出ソフトウエアコンポーネント４０６は、それらの数字を加算して合計を所定のチェックサム数字と比較し、次に、無効な「ＰＩＮ」が入力されたことをユーザに通知することになる。例えば、図５ａに示すようにユーザが間違った「ＰＩＮ」番号「７０２１９」を入力する場合、チェックサム数字は、数字９のような「ＰＩＮ」コードの最後の数字とすることができる。図５ａ−ｂ−ｃは、端末／装置を図１に示す近距離無線ネットワーク１１６に追加するためのユーザ入力／出力を示す。本発明の実施形態では、装置１０６は、ディスプレイ５１５及びキーパッド５１６を有する携帯電話である。エラー検出ソフトウエアコンポーネント４０６は、７、０、２、及び１を加算して合計１０を得るであろう。合計１０になる加算された数字は、所定のチェックサム数字９と比較される。合計された数字の１０がチェックサム数字の９と等しくないので、ユーザは、図５ｃに示すように「ＰＩＮが正しくない」と通知されるであろう。有効な「ＰＩＮ」が入力された場合、図５ｂに示すような「ヘッドセットがペア化された」などの有効であることの通知をペア化の後で生成することができる。
【００４２】
本発明の代替実施形態では、エラー検出ソフトウエアコンポーネント４０６は、間違えて入力された「ＰＩＮ」を訂正するためのエラー訂正ソフトウエアコンポーネントを含む。例えば、リード・ソロモン符号を使用してもよい。
本発明の代替実施形態では、他の「ＰＩＮ」エラー検出方法又はソフトウエアコンポーネントを使用して、正しくない「ＰＩＮ」の入力を検知する。
更に、ユーザに易しいインタフェースを可能にするために、グラフィカルユーザインタフェース（ＧＵＩ）４０７が設けられる。
【００４３】
図６ａ−ｂは、本発明の実施形態により近距離無線ネットワーク１１６内の装置をペア化する方法６００を示す。一実施形態では、方法６００は、図４に示すペア化ソフトウエアコンポーネント４０４、復号化ソフトウエアコンポーネント４０５、及びエラー検出ソフトウエアコンポーネント４０６によって実行される。本発明の実施形態では、図６ａ−ｂに示す論理ボックス又は段階は、単独又は組合せのソフトウエアプログラム、ソフトウエアオブジェクト、ソフトウエア関数、ソフトウエアサブルーチン、ソフトウエア方法、ソフトウエアインスタンス、及びコードフラグメントのようなソフトウエアコンポーネントの実行を表すことができる。本発明の代替実施形態では、論理ボックス又は段階は、単独又は組合せでソフトウエアコンポーネント、ハードウエアオペレーション、又はユーザオペレーションの実行を表す。本発明の代替実施形態では、方法６００において、これよりも少ないか又は多い論理ボックス又は段階が実行される。
【００４４】
図６ａに示すように、ユーザは、ブロック６０１で示すように近距離無線ネットワーク１１６内の装置１０６とペア化される端末で「ＰＩＮ」を手作業で入力する。ブロック６０２及び６０３で示すように、「ＰＩＮ」が有効か否かが判断される。本発明の実施形態では、「ＰＩＮ」が有効か否かを判断するために、エラー検出ソフトウエアコンポーネント４０６が使用される。本発明の実施形態では、エラー訂正ソフトウエアは、間違って入力された「ＰＩＮ」を訂正する。「ＰＩＮ」が有効でない場合は、制御がブロック６０４に移り、ユーザは、無効な「ＰＩＮ」について通知される。
【００４５】
本発明の実施形態では、サーバ１０１は、ユーザの入力に応答してペア化メッセージを生成する。本発明の代替実施形態では、ペア化メッセージは、「ＳＭＳ」によって生成される。本発明の実施形態においては、不正で違法な登録を防止するために、ペア化メッセージは暗号化される。
装置１０６は、論理ブロック６０５で示すように、ペア化メッセージが受信されたか否かを判断する。
ペア化メッセージが受信された場合、そのペア化メッセージは、図６ｂの論理ブロック６０６で示すように、復号化ソフトウエアコンポーネント４０５によって復号化される。
【００４６】
本発明の実施形態では、ペア化メッセージの「ＰＩＮ」は、論理ブロック６０８で示すように、端末１０７のうちの装置１０６とペア化しようとする端末からの「Ｂｌｕｅｔｏｏｔｈ（登録商標）」メッセージから受信した「ＰＩＮ」と比較される。ペア化メッセージから受信した「ＰＩＮ」が端末から受信した「ＰＩＮ」と同じ場合、論理ブロック６０９で示すように通信チャンネルが確立される。同じでない場合は、通信チャンネルは確立されない。
【００４７】
本発明の代替実施形態では、ペア化メッセージは、２つの装置間の通信チャンネルを取り消すための削除メッセージを含む。
同様に、本発明の代替実施形態では、装置１０６は、端末から受信した「ＰＩＮ」をサーバ１０１に転送する。この「ＰＩＮ」が「ＰＩＮ」データベース１０１ｂの対応する「ＰＩＮ」と符合する場合は、ペア化メッセージ生成ソフトウエアコンポーネント１０１ａにより、確認ペア化メッセージが生成される。すなわち、問題なく符合すると、装置１０６及び端末間の通信チャンネルが確立される。
【００４８】
ＩＶ．結論
上述の本発明の好ましい実施形態は、例示と説明のためのものである。それは網羅的ではなく、本発明を開示した通りの形態に限定するものでもない。勿論、当業者には多くの変更及び変形が明らかであろう。実施形態は、本発明の原理及びその実際的応用を最もよく説明し、それによって他の当業者が想定される特定の用途に適する様々な修正と共に様々な実施形態に関して本発明を理解することができるように選択して解説したものである。本発明の範囲は、特許請求の範囲及びその均等物よって規定されるものとする。
【図面の簡単な説明】
【００４９】
【図１】本発明の実施形態によるシステムを示す図である。
【図２】本発明の実施形態による薄型端末及び無線装置を示す図である。
【図３ａ】本発明の実施形態による装置のハードウエアブロック図である。
【図３ｂ】本発明の実施形態による装置のハードウエアブロック図である。
【図４】本発明の実施形態により近距離無線ネットワーク内の装置をペア化するためのソフトウエアブロック図アーキテクチャを示す図である。
【図５ａ】本発明の実施形態による近距離無線ネットワーク内のペア化された装置のユーザ入力／出力を示す図である。
【図５ｂ】本発明の実施形態による近距離無線ネットワーク内のペア化された装置のユーザ入力／出力を示す図である。
【図５ｃ】本発明の実施形態による近距離無線ネットワーク内のペア化された装置のユーザ入力／出力を示す図である。
【図６ａ】本発明の実施形態による近距離無線ネットワーク内の装置のペア化を示す流れ図である。
【図６ｂ】本発明の実施形態による近距離無線ネットワーク内の装置のペア化を示す流れ図である。
【図７】本発明の実施形態によりユーザがペア化情報を入力するためのウェブサイト及び特にウェブページを示す図である。
【図８】本発明の実施形態によるサーバ１０１のソフトウエアブロック図アーキテクチャを示す図である。
【符号の説明】
【００５０】
６００  近距離無線ネットワーク内の装置をペア化する方法
【図１】
2005510946.tif 000003
【図２】
2005510946.tif 000004
【図３ａ】
2005510946.tif 000005
【図３ｂ】
2005510946.tif 000006
【図４】
2005510946.tif 000007
【図５ａ】
2005510946.tif 000008
【図５ｂ】
2005510946.tif 000009
【図５ｃ】
2005510946.tif 000010
【図６ａ】
2005510946.tif 000011
【図６ｂ】
2005510946.tif 000012
【図７】
2005510946.tif 000013
【図８】
2005510946.tif 000014
【国際調査報告】
2005510946.tif 000015